(57)【要約】【課題】緩衝材（緩衝底部材及び緩衝上部材）の構造が極めて簡単で効率よく組立てることができ、使用する材料の段ボールが少ないので経済的であり、抜き型が不要なため形状変更が容易で緩衝空間の調整を簡単に行うこともでき、あらゆる方向からの衝撃に対して十分な緩衝効果を発揮できる個装箱を提供する。【解決手段】段ボール製の緩衝底部材２と緩衝上部材３を収容した個装箱であって、緩衝底部材２は、段ボールの両側部を上方へ折り曲げ、次いで外側へ折り曲げ、更に下方へ折り曲げることによって、外側板２ｂの上下寸法が内側板２ｃの上下寸法より大きい二重側板２ｄを底板２ａの両側に形成したものであり、緩衝上部材３は、段ボールの両側部を下方へ折り曲げ、次いで外側へ折り曲げ、更に上側へ折り曲げることによって、外側板３ｂの上下寸法が内側板３ｃの上下寸法より大きい二重側板３ｄを上板３ａの両側に形成した構成の個装箱１とする。【選択図】図１
0003139554.tif 000002
【実用新案登録請求の範囲】
【請求項１】
段ボール製の緩衝底部材と緩衝上部材を収容した個装箱であって、緩衝底部材は、方形の段ボールの両側部を上方へ折り曲げ、次いで外側へ折り曲げ、更に下方へ折り曲げることによって、外側板の上下寸法が内側板の上下寸法より大きい二重側板を底板の両側に形成したものであり、緩衝上部材は、方形の段ボールの両側部を下方へ折り曲げ、次いで外側へ折り曲げ、更に上側へ折り曲げることによって、外側板の上下寸法が内側板の上下寸法より大きい二重側板を上板の両側に形成したものであることを特徴とする個装箱。
【請求項２】
緩衝上部材の二重側板が緩衝底部材の二重側板に対して直角方向となるように緩衝上部材を緩衝底部材の内側に組み合わせたことを特徴とする請求項１に記載の個装箱。
【請求項３】
緩衝底部材の外側板間の外寸法を、個装箱の相対向する一組の側板間の内寸法と実質的に同一とし、緩衝底部材の二重側板の長さ寸法及び底板の長さ寸法を、個装箱の相対向する他の一組の側板間の内寸法と実質的に同一としたことを特徴とする請求項１又は請求項２に記載の個装箱。
【請求項４】
緩衝上部材の二重側板の長さ寸法及び上板の長さ寸法を、緩衝底部材の内側板間の内寸法と実質的に同一とし、緩衝上部材の外側板間の外寸法を個装箱の相対向する他の一組の側板間の内寸法と実質的に同一としたことを特徴とする請求項２又は請求項３に記載の個装箱。
【請求項５】
緩衝底部材の内側板と外側板との間隔を５ｍｍ以上とし、緩衝底部材の外側板の上下寸法を内側板の上下寸法より５ｍｍ以上大きくしたことを特徴とする請求項１ないし請求項４のいずれかに記載の個装箱。
【請求項６】
緩衝上部材の両側の内側板から突片を切り起こし、該突片を両側の外側板に当接させたことを特徴とする請求項１ないし請求項５のいずれかに記載の個装箱。
【請求項７】
緩衝底部材の両側の内側板から突片を切り起こし、該突片を両側の外側板に当接させたことを特徴とする請求項１ないし請求項６のいずれかに記載の個装箱。
【考案の詳細な説明】
【技術分野】
【０００１】
本考案は、梱包品を緩衝底部材と緩衝上部材に保持させて収容する個装箱に関し、特に、緩衝底部材と緩衝上部材を簡素で組立てやすい構造に改良した個装箱に関する。
【背景技術】
【０００２】
従来の段ボール製の個装箱は、発泡スチロールからなる緩衝材に梱包品を保持させて収容するものが一般的であった。けれども、発泡スチロールの緩衝材は環境に良くないため、最近では、段ボール製の緩衝材で梱包品を保持させて収容する個装箱が多用されるようになってきた。
【０００３】
このような個装箱に収容される段ボール製の緩衝材は、通常、段ボールを緩衝材の展開形状に型抜きし、多数の折り線を入れて複雑に折り曲げながら、凸部と凹部を係合させたり、凸部をスリットに挿入するなどの手作業で組立てられる構造の複雑なものである。
【０００４】
一方、中央部に梱包品を配置するための凹部を備えた下部梱包緩衝部材と、梱包品の上面側に配置された仕切り部材を梱包用の箱の内部に収容し、下部梱包緩衝部材の凹部で梱包品を箱の底面から浮かせた状態で保持させると共に、仕切り部材と箱の天面との間に付属品を収容するように構成した梱包用の箱が提案されている（特許文献１）。
【０００５】
また、一枚の段ボールシートで機器を包み込むように折り曲げて、衝撃から機器の破損を防ぐ緩衝材と、小物パーツをまとめて同梱する同梱物箱と、これらを納める外装箱で構成され、機器への衝撃を緩衝材と同梱物箱の双方で吸収する構造とした電子機器の包装装置も提案されている（特許文献２）。
【特許文献１】特開２００３−２９２０４８号公報
【特許文献２】特開２００３−２６２４６号公報
【考案の開示】
【考案が解決しようとする課題】
【０００６】
しかしながら、従来の個装箱に使用されている段ボール製の緩衝材は、前述したように、段ボールを緩衝材の展開形状に型抜きし、多数の折り線を入れて複雑に折り曲げながら、凸部と凹部を係合させたり、凸部をスリットに挿入するなどの手作業で組立てられる構造が複雑なものであるから、組立作業が面倒で時間がかかり、しかも、使用する材料の段ボールが多くなり、また、抜き型が必要であるため、緩衝材の形状を変更する場合には抜き型の変更も必要になる、等の問題あった。
【０００７】
これに対し、上記特許文献１の梱包箱に使用される下部梱包緩衝部材や、上記特許文献２の包装装置に使用される緩衝材は、構造が比較的簡単であるため、上記の問題をある程度解決することはできる。けれども、特許文献１の梱包箱は、上部の緩衝材が仕切り板であって、下部梱包緩衝部材と相互に組み合わせて相乗的に緩衝作用を高めるものではないため、緩衝効果が十分とは言い難く、特に、特許文献２の包装装置は、上部に押さえ板を重ねるだけであるため、上方からの衝撃に対する緩衝作用が不十分であった。
【０００８】
本考案は上記事情の下になされたもので、その解決しようとする課題は、緩衝材（緩衝底部材及び緩衝上部材）の構造が極めて簡単で効率よく組立てることができ、使用する材料の段ボールが少ないので経済的であり、抜き型が不要なため形状変更が容易で緩衝空間の調整を簡単に行うこともでき、あらゆる方向からの衝撃に対して十分な緩衝効果を発揮することができる個装箱を提供することにある。
【課題を解決するための手段】
【０００９】
上記課題を解決するため、本考案に係る個装箱は、段ボール製の緩衝底部材と緩衝上部材を収容した個装箱であって、緩衝底部材は、方形の段ボールの両側部を上方へ折り曲げ、次いで外側へ折り曲げ、更に下方へ折り曲げることによって、外側板の上下寸法が内側板の上下寸法より大きい二重側板を底板の両側に形成したものであり、緩衝上部材は、方形の段ボールの両側部を下方へ折り曲げ、次いで外側へ折り曲げ、更に上側へ折り曲げることによって、外側板の上下寸法が内側板の上下寸法より大きい二重側板を上板の両側に形成したものであることを特徴としている。
【００１０】
本考案の個装箱においては、緩衝上部材の二重側板が緩衝底部材の二重側板に対して直角方向となるように緩衝上部材を緩衝底部材の内側に組み合わせることが好ましい。そして、緩衝底部材の外側板間の外寸法を、個装箱の相対向する一組の側板間の内寸法と実質的に同一とし、緩衝底部材の二重側板の長さ寸法及び底板の長さ寸法を、個装箱の相対向する他の一組の側板間の内寸法と実質的に同一とすることが好ましい。更に、緩衝上部材の二重側板の長さ寸法及び上板の長さ寸法を、緩衝底部材の内側板間の内寸法と実質的に同一とし、緩衝上部材の外側板間の外寸法を個装箱の相対向する他の一組の側板間の内寸法と実質的に同一とすることが好ましい。また、緩衝底部材の内側板と外側板との間隔を５ｍｍ以上とし、緩衝底部材の外側板の上下寸法を内側板の上下寸法より５ｍｍ以上大きくすることが好ましい。
【考案の効果】
【００１１】
本考案の個装箱に収容される緩衝底部材は、方形の段ボールの両側部を上方へ折り曲げ、次いで外側へ折り曲げ、更に下方へ折り曲げることによって、外側板の上下寸法が内側板の上下寸法より大きい二重側板を底板の両側に形成したものであるから、この緩衝底部材を個装箱の底部に収容すると、緩衝底部材の底板と個装箱の底板との間に、緩衝底部材の内側板と外側板の上下寸法差に相当する緩衝空間が形成される。そして、二重側板の内側板と外側板との間の空間が両側の緩衝空間として働く。また、緩衝上部材は、方形の段ボールの両側部を下方へ折り曲げ、次いで外側へ折り曲げ、更に上側へ折り曲げることによって、外側板の上下寸法が内側板の上下寸法より大きい二重側板を上板の両側に形成したものであるから、この緩衝上部材を個装箱の上部に収容すると、緩衝上部材の上板と個装箱の天板との間に、緩衝上部材の内側板と外側板の上下寸法差に相当する緩衝空間が形成される。そして、二重側板の内側板と外側板との間の空間が両側の緩衝空間として働く。特に、緩衝上部材の二重側板が緩衝底部材の二重側板に対して直角方向となるように緩衝上部材を緩衝底部材の内側に組み合わせて個装箱に収容すると、緩衝底部材の両側の二重側板と緩衝上部材の両側の二重側板が個装箱の四側板の内面に沿うため、この二重側板の内側板と外側板との間の緩衝空間が個装箱の四側板の内側に形成されることになる。従って、梱包品を緩衝底部材と緩衝上部材の間に保持させて個装箱に収容すると、緩衝底部材の底板と個装箱の底板との間の緩衝空間、緩衝上部材の上板と個装箱の天板との間の緩衝空間、個装箱の四側板の内側の緩衝空間によって、あらゆる方向からの衝撃が緩和されるので、梱包品の損傷を十分防止することができる。
【００１２】
また、上記の緩衝底部材は、底板の両側に二重側板を形成した構造が極めて簡単な部材であって、方形の段ボールの両側部を上方へ折り曲げ、次いで外側へ折り曲げ、更に下方へ折り曲げるだけの簡単な作業で組立てることができるものであり、緩衝上部材も、上板の両側に二重側板を形成した構造が極めて簡単な部材であって、方形の段ボールの両側部を下方へ折り曲げ、次いで外側へ折り曲げ、更に上側へ折り曲げるだけの簡単な作業で組立てることができるものであるから、従来の複雑な段ボール製の緩衝材に比べると、組立作業効率が遥かに高く、しかも、使用する材料の段ボールが遥かに少ないので、相当のコストダウンを図ることができる。
【００１３】
また、本考案の個装板に収容される緩衝底部材や緩衝上部材は、従来の段ボール製の緩衝材のように段ボールを抜き型で打ち抜く必要がなく、抜き型が全く不要なものであるから、緩衝底部材や緩衝上部材の形状変更、例えば、二重側板の内側板と外側板の上下寸法差や、内側板と外側板との間の空間の幅寸法を変更して、緩衝空間の大きさを変更、調整するような場合でも、段ボールの折り線の位置を変更するだけで極く簡単に行うことができる。
【００１４】
尚、段ボール製の緩衝底部材と緩衝上部材を収容した本考案の個装箱は、従来の発泡スチロール製の緩衝材を収容した個装箱のように環境に悪影響を及ぼす心配がなく、また、発泡成形用の金型も不要であって、形状変更に伴う金型の変更費用も生じないことは言うまでもない。
【００１５】
また、緩衝上部材の二重側板が緩衝底部材の二重側板に対して直角方向となるように緩衝上部材を緩衝底部材の内側に組み合わせて収容した個装箱は、前述したように、個装箱の四側面の内側に緩衝空間を形成できることに加えて、緩衝底部材の二重側板の内側板を緩衝上部材の二重側板の両端面で内側から支えることにより、緩衝底部材の底板が両側の二重側板の内側板と共に揺動するのを阻止して、梱包品の保持安定性を高めることができる。
【００１６】
そして、緩衝底部材の外側板間の外寸法を、個装箱の相対向する一組の側板間の内寸法と実質的に同一とし、緩衝底部材の二重側板の長さ寸法及び底板の長さ寸法を、個装箱の相対向する他の一組の側板間の内寸法と実質的に同一としたものは、緩衝底部材を個装箱の底部にガタツキなく収容することができる。
【００１７】
更に、緩衝上部材の二重側板の長さ寸法及び上板の長さ寸法を、緩衝底部材の内側板間の内寸法と実質的に同一とし、緩衝上部材の外側板間の外寸法を個装箱の相対向する他の一組の側板間の内寸法と実質的に同一としたものは、緩衝上部材を緩衝底部材の内側に組み合わせてガタツキなく個装箱の上部に収容することができる。
【００１８】
また、緩衝底部材の内側板と外側板との間隔を５ｍｍ以上とし、緩衝底部材の外側板の上下寸法を内側板の上下寸法より５ｍｍ以上大きくしたものは、５ｍｍ以上の緩衝空隙を形成できるので、十分な緩衝効果を発揮することができる。
【考案を実施するための最良の形態】
【００１９】
以下、図面を参照して本考案の具体的な実施形態を詳述する。
【００２０】
図１は本考案の一実施形態に係る個装箱を分解して梱包品と共に示した斜視図、図２は同個装箱の平面図、図３は図２のＡ−Ａ線断面図、図４は図２のＢ−Ｂ線断面図、図５の（ａ）は同個装箱に収容される緩衝底部材と緩衝上部材を分離して示す側面図、図５の（ｂ）は緩衝底部材と緩衝上部材を組み合わせた側面図、図６は緩衝底部材を収容する仕方を説明する説明図、図７は緩衝上部材を収容する仕方を説明する説明図である。
【００２１】
この実施形態は、図１に示すように、梱包品本体Ｗとして透明袋に入れたデジタルチューナーを緩衝底部材２と緩衝上部材３の間に保持させ、透明袋に入れたリモコンその他の付属品Ｗ１を緩衝上部材３の上に載せて、これらを収容する個装箱１を示したものである。
【００２２】
この個装箱１は、段ボールを折り曲げて組立てられたものであって、底板１ａと、底板１ａに重ねられたフラップ１ｂ，１ｂと、四側板１ｃ，１ｄ，１ｅ，１ｆと、天板を形成する４つのフラップ１ｇ，１ｈ，１ｉ，１ｊとで構成されている。
【００２３】
この個装箱１の底部に収容される緩衝底部材２は、図１，図３，図５に示すように、底板２ａの両側に、外側板２ｂの上下寸法が内側板２ｃの上下寸法より大きい二重側板２ｄ，２ｄを形成した構造が極めて簡単な部材であって、方形の段ボールの両側部を上方へ折り曲げ、次いで外側へ折り曲げ、更に下方へ折り曲げるだけの簡単な作業によって組立てられるものである。
【００２４】
この緩衝底部材２の外側板２ｂ，２ｂ間の外寸法は、個装箱１の相対向する一組の側板１ｃ，１ｅ間の内寸法と実質的に同一に設定されており、緩衝底部材２の二重側板２ｄの長さ寸法及び底板２ａの長さ寸法は、個装箱１の相対向する他の一組の側板１ｈ，１ｆ間の内寸法と実質的に同一に設定されている。従って、緩衝底部材２は、個装箱１の底部にガタツキなく収容されるようになっている。
【００２５】
この緩衝底部材２の二重側板２ｄの外側板２ｂの上下寸法は、内側板２ｃの上下寸法より５ｍｍ以上大きく設定されており、図３に示すように緩衝底部材２を個装箱１の底部に収容したときに、緩衝底部材２の底板２ａと個装箱１の底板１ａとの間に５ｍｍ以上の緩衝空隙Ｖ１が形成されるようになっている。緩衝空隙Ｖ１が５ｍｍより小さくなると、下方からの衝撃に対する緩衝効果が不十分になるが、上記のように５ｍｍ以上の緩衝空隙Ｖ１が形成されていると、十分な緩衝効果を発揮することができる。
【００２６】
また、緩衝底部材２の二重側板２ｄの外側板２ｂと内側板２ｃとの間の空間Ｖ２も、側方からの衝撃に対する緩衝空間となるものであるから、外側板２ｂと内側板２ｃとの間隔を５ｍｍ以上に設定し、側方からの衝撃に対して十分な緩衝効果を発揮できるようにすることが好ましい。
【００２７】
上記の緩衝上部材３も、図１，図４に示すように、上板３ａの両側に、外側板３ｂの上下寸法が内側板３２ｃの上下寸法より大きい二重側板３ｄ，３ｄを形成した構造が極めて簡単な部材であって、方形の段ボールの両側部を下方へ折り曲げ、次いで外側へ折り曲げ、更に上方へ折り曲げるだけの簡単な作業によって組立てられるものである。
【００２８】
この緩衝上部材３の二重側板２ｄの長さ寸法及び上板３ａの長さ寸法は、緩衝底部材２の内側板２ｃ，２ｃ間の内寸法と実質的に同一に設定されており、この緩衝上部材３の外側板３ｂ，３ｂ間の外寸法は、個装箱１の相対向する他の一組の側板１ｄ，１ｆ間の内寸法、換言すれば、緩衝底部材２の底板２ａ及び二重側板２ｄの長さ寸法と実質的に同一に設定されている。従って、この緩衝上部材３は、その両側の二重側板３ｄ，３ｄが緩衝底部材２の二重側板２ｄ，２ｄに対して直角方向となるように緩衝底部材２の内側に組み合わされて、ガタツキなく個装箱１の上部に収容されるようになっている。
【００２９】
上記のように緩衝上部材３と緩衝底部材２を組み合わせる前は、図５の（ａ）に示すように、緩衝底部材２の底板２ａが両側の二重側板２ｄ，２ｄの内側板２ｃ，２ｃと共に幅方向に揺動するため、梱包品本体Ｗの保持安定性が不十分であるが、図５の（ｂ）に示すように緩衝上部材３を緩衝底部材２の内側に組み合わせると、緩衝底部材２の二重側板２ｄ，２ｄの内側板２ｃ，２ｃが緩衝上部材３の二重側板３ｄの両端面で内側から支えられて固定されるため、緩衝底部材２の底板２ａが上記のように揺動するのを阻止して、梱包品Ｗの保持安定性を高めることができる。
【００３０】
この緩衝上部材３の上板３ａには梱包品の付属品Ｗ１が載置されて収容されるので、緩衝上部材３の二重側板３ｄの外側板３ｂの上下寸法は、内側板３ｃの上下寸法よりも付属品Ｗ１を収容できる寸法だけ大きく設定すればよいが、この緩衝上部材３の上板３ａと個装箱１の天板との間の収容空間Ｖ３は、上方からの衝撃に対する緩衝空間の役目も兼ね備えたものであるから、付属品Ｗ１が薄い場合でも、前記と同様に５ｍｍ以上の緩衝空間Ｖ３が形成されるように、外側板３ｂの上下寸法を内側板３ｃの上下寸法より５ｍｍ以上大きく設定することが好ましい。
【００３１】
また、この緩衝上部材３の二重側板３ｄの外側板３ｂと内側板３ｃとの間の空間Ｖ２も、側方からの衝撃に対する緩衝空間となるものであるから、外側板３ｂと内側板３ｃとの間隔を５ｍｍ以上に設定し、側方からの衝撃に対して十分な緩衝効果を発揮できるようにすることが好ましい。
【００３２】
この緩衝上部材３の二重側板３ｄが緩衝底部材２の二重側板２ｄに対して直角方向となるように緩衝上部材３を緩衝底部材２の内側に組み合わせて個装箱に収容すると、緩衝底部材２の両側の二重側板２ｄ，２ｄと緩衝上部材３の両側の二重側板３ｄ，３ｄが個装箱１の四側板１ｃ，１ｄ，１ｅ，１ｆの内面に沿うため、これらの二重側板２ｄ，２ｄ，３ｄ，３ｄの内側板と外側板との間の緩衝空間Ｖ２が個装箱１の四側板の内側に形成されることになる。従って、梱包品本体Ｗを緩衝底部材ん２と緩衝上部材３の間に保持させ、付属品Ｗ１を緩衝上部材３に載置して個装箱１に収容すると、緩衝底部材２の底板２ａと個装箱１の底板１ａとの間の緩衝空間Ｖ１、緩衝上部材３の上板３ａと個装箱１の天板（フラップ１ｇ，１ｈ，１ｉ，１ｊを折り畳んで形成される天板）との間の緩衝空間Ｖ３、個装箱１の四側板の内側の緩衝空間Ｖ２によって、あらゆる方向からの衝撃が緩和吸収されるので、梱包品本体Ｗの損傷を十分防止することができる。
【００３３】
この段ボール製の個装箱１は、内部に段ボール製の緩衝底部材２と緩衝上部材３を収容するものであるから、環境に良い影響を与え、発泡スチロール製の緩衝部材を発泡成形する金型や金型の変更費用が不要となるので経済的である。
【００３４】
しかも、上記の緩衝底部材２や緩衝上部材３は、構造が極めて簡単で、段ボールの両端部を２箇所で折り曲げるだけの簡単な作業で組立てることができるものであるから、従来の複雑な段ボール製の緩衝材に比べると、組立作業効率が遥かに高く、かつ、使用する材料の段ボールが遥かに少ないので、相当のコストダウンを図ることができる。
【００３５】
また、上記の緩衝底部材２は、図６に示すように、底板２ａ両側の二重側板２ｄ，２ｄの外側板２ｂ，２ｂを斜め内側に傾斜させると、個装箱１に簡単に嵌め込むことができる。そして、上記の緩衝上部材３は、図７に示すように、二重側板３ｄ，３ｄの下端を斜めにして外側板３ｂ，３ｂ間の外寸法を個装箱１の側板１ｄ，１ｆの内寸法より小さくすると、個装箱１に簡単に嵌め込むことができ、嵌め込んでから上板３ａを押し込むと、二重側板３ｄ，３ｄの下端が水平になってガタツキなく個装箱１の上部に収容することができる。
【００３６】
また、上記の緩衝底部材２や緩衝上部材３は、従来の段ボール製の緩衝材のように段ボールを抜き型で打ち抜く必要がなく、抜き型が不要なものであるから、緩衝底部材２や緩衝上部材３の形状変更が必要な場合でも、抜き型を変更することなく、折り曲げ箇所を変更するだけで極く簡単に形状変更をすることができる。例えば、緩衝底部材２や緩衝上部材３の二重側板の内側板２ｃ，３ｃと外側板２ｂ，３ｂの上下寸法や、内側板と外側板との間の空間Ｖ２の幅寸法を変更して、緩衝空間Ｖ１，Ｖ２，Ｖ３の大きさを変更、調整するような場合でも、段ボールの両端部の折り線の位置を変更するだけで極く簡単に行うことができる。
【００３７】
尚、上記の緩衝底部材２と緩衝上部材３を収容した個装箱１では、緩衝上部材３の上板３ａが両側に揺動する可能性があるので、付属品Ｗ１の支持安定性があまり良くない。その対策としては、図８，図９に示すように、緩衝上部材３の両側の内側板３ｃ，３ｃから突片３ｅ，３ｅを上板３ａと面一になるように水平に切り起こし、該突片３ｅ，３ｅを外側板３ｂ，３ｂに当接させることが挙げられる。同様に、緩衝底部材２についても、図１０に示すように、両側の内側板２ｃ，２ｃから突片２ｅ，２ｅを底板と面一になるように水平に切り起こし、該突片２ｅ，２ｅを外側板２ｂ，２ｂに当接させると、底板２ａの揺動を防止して梱包品本体Ｗの支持安定性を確保することができる。
【図面の簡単な説明】
【００３８】
【図１】本考案の一実施形態に係る個装箱を分解して梱包品と共に示した斜視図である。
【図２】同個装箱の平面図である。
【図３】図２のＡ−Ａ線断面図である。
【図４】図２のＢ−Ｂ線断面図である。
【図５】（ａ）は同個装箱に収容される緩衝底部材と緩衝上部材を分離して示す側面図、（ｂ）は緩衝底部材と緩衝上部材を組み合わせた側面図である。
【図６】緩衝底部材を収容する仕方を説明する説明図である。
【図７】緩衝上部材を収容する仕方を説明する説明図である。
【図８】緩衝上部材の他の例を示す部分切欠斜視図である。
【図９】同緩衝上部材の平面図である。
【図１０】緩衝底部材の他の例を斜め下方から見た部分切欠斜視図である。
【符号の説明】
【００３９】
１    個装箱
１ｃ，１ｅ  相対向する一組の側板
１ｄｐ１ｆ  相対向する他の一組の側板
２    緩衝底部材
２ａ  底板
２ｂ  外側板
２ｃ  内側板
２ｄ  二重側板
２ｅ  突片
３    緩衝上部材
３ａ  上板
３ｂ  外側板
３ｃ  内側板
３ｄ  二重側板
３ｅ  突片
Ｗ    梱包品（本体）
【図１】
0003139554.tif 000003
【図２】
0003139554.tif 000004
【図３】
0003139554.tif 000005
【図４】
0003139554.tif 000006
【図５】
0003139554.tif 000007
【図６】
0003139554.tif 000008
【図７】
0003139554.tif 000009
【図８】
0003139554.tif 000010
【図９】
0003139554.tif 000011
【図１０】
0003139554.tif 000012